(57)【要約】【課題】風で飛ばされることを防止するとともに、不使用時に紛失したり、邪魔になることがなく、しかも、見栄えを損なうこともない帽子を提供する。【解決手段】クラウン２および該クラウン２に縫製されたブリム３からなる帽子において、内面側におけるクラウン２およびブリム３の縫製部に、保持バンド４のバンド４１先端が縫製されるとともに、バンド４１の縫製部近傍のブリム３に保持バンド４のクリップ４２を挿通可能なクリップホール３ａが形成され、また、外面側におけるクラウン２およびブリム３の縫製部にクリップ４２を止着可能なタグ６が縫製されている。このような帽子１は、通常、クリップホール３ａを通して外面側にバンド４１とともに引き出されたクリップ４２がタグ６に止着されている。【選択図】図２
0003125152.tif 000002
【実用新案登録請求の範囲】
【請求項１】
クラウンおよび該クラウンに縫製されたブリムからなる帽子において、クラウンの内面側またはブリムの裏面側におけるクラウンおよびブリムの縫製部またはその近傍に、バンドの一端にクリップが設けられてなる保持バンドにおけるバンドの他端が縫製されるとともに、バンドの他端縫製部近傍のクラウンまたはブリムにクリップを挿通可能なクリップホールが形成され、また、クラウンの外面側またはブリムの表面側におけるクラウンおよびブリムの縫製部またはその近傍にクリップを止着可能なタグが縫製されてなり、クリップホールを通して外面側にバンドとともに引き出されたクリップがタグに止着されることを特徴とする帽子。
【請求項２】
前記タグが、クラウンの一側面側に縫製されたモチーフによって隠蔽されることを特徴とする請求項１記載の帽子。
【請求項３】
前記クリップホールが、タグおよびモチーフが縫製された一側面側とは反対側の他側面側におけるクラウンおよびブリムの縫製部近傍に形成されることを特徴とする請求項２記載の帽子。
【考案の詳細な説明】
【技術分野】
【０００１】
この考案は、帽子、特に、風によって飛ばされるのを防止できる帽子に関するものである。
【背景技術】
【０００２】
一般に、タウン、スポーツ（アウトドア）などに際して、頭部を覆って寒さや暑さから守るため、帽子を着用することが多い。この際、風によって帽子が遠くに飛ばされるのを防止するため、キャップストラップと称する商品が使用されている。このキャップストラップは、短尺な帯状のバンドの両端にクリップを設けて構成され、一方のクリップを帽子に止着するとともに、他方のクリップを衣服の襟などに止着して使用するものである（例えば、特許文献１参照）。
【０００３】
また、一端にクリップを設けたバンドの他端に留め具を設ける一方、該留め具と着脱自在な被留め具を帽子に設け、さらに、帽子にポケットを設け、必要時に帽子に留め具および被留め具を介してバンドを連結するとともに、クリップを衣服に止着し、不要時にはバンドをポケットに収容できるようにした帽子飛び防止具も提案されている（例えば、特許文献２参照）。
【特許文献１】実用新案登録第３０３３２４７号公報
【特許文献２】実用新案登録第３０６３４９０号公報
【考案の開示】
【考案が解決しようとする課題】
【０００４】
ところで、前述したキャップストラップや帽子飛び防止具にあっては、一次的に帽子とバンドとが分離することを避けることができず、その際、紛失したり、携行を失念するなどのおそれがある。また、常時、帽子に留めておくことも考えられるが、この場合には、バンドが帽子から垂れ下がって邪魔になるばかりでなく、見栄えを損なうという欠点がある。
【０００５】
本考案は、このような問題点に鑑みてなされたもので、風で飛ばされることを防止することができるとともに、不使用時に紛失したり、邪魔になることがなく、しかも、見栄えを損なうこともない帽子を提供するものである。
【課題を解決するための手段】
【０００６】
本考案は、クラウンおよび該クラウンに縫製されたブリムからなる帽子において、クラウンの内面側またはブリムの裏面側におけるクラウンおよびブリムの縫製部またはその近傍に、バンドの一端にクリップが設けられてなる保持バンドにおけるバンドの他端が縫製されるとともに、バンドの他端縫製部近傍のクラウンまたはブリムにクリップを挿通可能なクリップホールが形成され、また、クラウンの外面側またはブリムの表面側におけるクラウンおよびブリムの縫製部またはその近傍にクリップを止着可能なタグが縫製されてなり、クリップホールを通して外面側にバンドとともに引き出されたクリップがタグに止着されることを特徴とするものである。
【０００７】
本考案によれば、保持バンドの不使用時には、そのクリップおよびバンドがクリップホールから外面側に引き出されて、クリップがタグに止着されている。したがって、バンドが一定長さにわたってクラウンおよびブリムの縫製部に沿って巻回されることから、バンドがアクセントとして機能する。また、バンドが垂れ下がって邪魔になることがなく、見栄えを損なうこともない。一方、風で飛ばないように止着する場合は、保持バンドのクリップをタグから外した後、バンドとともにクリップホールから内面側に引き出し、クリップを衣服の襟などに止着すればよい。この際、バンドがブリムと干渉せず、ブリムを折り曲げて見栄えを低下させることがない。
【０００８】
なお、何れの場合においても、保持バンドにおけるバンドの他端が帽子に縫製されているため、紛失することはない。
【０００９】
本考案において、前記タグが、クラウンの一側面側に縫製されたモチーフによって隠蔽されることが好ましい。これにより、モチーフによってタグおよび該タグに止着されたクリップを隠蔽することができ、タグおよび該タグに止着されたクリップの露出による見栄えの低下を抑えることができるとともに、モチーフによるファッション性の向上を図ることができる。
【００１０】
本発明において、前記クリップホールが、タグおよびモチーフが縫製された一側面側とは反対側の他側面側におけるクラウンおよびブリムの縫製部近傍に形成されることが好ましい。これにより、保持バンドのバンドがクラウンおよびブリムの縫製部に沿ってほぼ半周分巻回され、衣服の襟などに過不足なく止着することができるとともに、バンドのアクセントをより強調することができる。
【考案の効果】
【００１１】
本考案によれば、風で飛ばされることを防止することができるとともに、不使用時に紛失したり、邪魔になることがなく、しかも、見栄えを損なうこともない。
調整することができる。
【考案を実施するための最良の形態】
【００１２】
以下、本考案の実施の形態を図面に基づいて説明する。
【００１３】
図１および図２には、本考案の帽子１の一実施形態が示されている。
【００１４】
この帽子１は、略有底円筒状のクラウン２および該クラウン２の下端外周縁に内周縁が縫製されたリング状のブリム３と、一方の側面側、具体的には右側面側において、クラウン２およびブリム３とともに一体に縫製された保持バンド４と、とから構成されており、クラウン２の他方の側面側である左側面側には、モチーフ５が縫製されている。
【００１５】
保持バンド４は、バンド４１の一端にクリップ４２を設けて構成され、そのバンド４１の他端が、帽子１の右側面側において、クラウン２およびブリム３の縫製部に一体に縫製されている。
【００１６】
一方、保持バンド４におけるバンド４１の他端縫製部の近傍において、ブリム３には、クリップ４２を挿通可能な大きさのクリップホール３ａが形成されている。また、モチーフ５の縫製部の近傍において、保持バンド４のクリップ４２を止着可能なタグ６がクラウン２およびブリム３の縫製部に一体に縫製されている。このタグ６は、該タグ６に止着されたクリップ４２とともにモチーフ５によって隠蔽される大きさ（小片）に形成されるととも、露出しない位置に縫製されている。
【００１７】
このように構成された帽子１を使用する場合について説明する。
【００１８】
通常、保持バンド４のバンド４１およびクリップ４２は、バンド４１の他端部を除いてクリップホール３ａから外面側に引き出されている。そして、バンド４１が、クラウン２およびブリム３の縫製部に沿ってほぼ後半の半周分巻回して左側面側に導かれ、クリップ４２がモチーフ５に隠されたタグ６に止着されている。
【００１９】
したがって、クリップ４２は、タグ６とともにモチーフ５によって隠蔽されており、クリップ４２およびタグ６が露出することによる見栄えの低下を抑えることができる。また、バンド４１がクラウン２およびブリム３の縫製部に沿って略後半部を巻回していることにより、アクセントとして機能し、モチーフ５と相俟ってファッション性を向上させることができる。
【００２０】
このような帽子１は、風の穏やかな日などにおいて、散歩などに使用される。
【００２１】
一方、アウトドア活動などにおいて、風が強く、帽子１が飛ばされることを想定されるような場合には、タグ６よりクリップ４２を離脱させた後、クリップ４２をバンド４２とともにクリップホール３ａを通して内方側に引き出し、垂下させる（図３参照）。そして、クリップ４２を衣服の襟などに止着した後、帽子１を頭部に装着すればよい。この際、保持バンド４は、内方から垂下されることにより、ブリム３に干渉することがなく、ブリム３をバンド４１によって下方に折り曲げて変形させ、見栄えを低下させることがない。また、バンド４１は、クラウン２およびブリム３の縫製部に沿って略半周巻回する長さを有していることにより、衣服の襟などに過不足なく止着することができ、止着作業を円滑に行うことができる。
【００２２】
なお、前述した実施形態においては、保持バンド４のバンド４１の他端およびタグ６をクラウン２およびブリム３の縫製部に一体に縫製した場合を説明したが、それらの縫製部近傍のクラウン２またはブリム３に縫製してもよい。また、クリップホール３ａをブリム３に形成した場合を例示したが、クラウン２に形成してもよい。
【図面の簡単な説明】
【００２３】
【図１】本考案の帽子の一実施形態を示す斜視図である。
【図２】図１の帽子を一部破断して示す斜視図である。
【図３】図１の帽子の他の使用形態を一部破断して示す斜視図である。
【符号の説明】
【００２４】
１  帽子
２  クラウン
３  ブリム
３ａ  クリップホール
４  保持バンド
４１  バンド
４２  クリップ
５  モチーフ
６  タグ
【図１】
0003125152.tif 000003
【図２】
0003125152.tif 000004
【図３】
0003125152.tif 000005